(57)【要約】【課題】太陽光発電所を定量的に評価できる評価支援装置を提供する。【解決手段】本発明は、太陽光発電所の評価支援装置であって、複数の太陽光発電所の設備に関する設備情報及び実績発電量を記憶し、所定エリアの気象に関する気象関連情報を記憶し、対象の太陽光発電所の所定期間における期待された発電量である期待発電量を、該太陽光発電所の位置を含む所定エリアの気象関連情報及び該太陽光発電所の設備情報に基づいて算出し、対象の太陽光発電所における算出された期待発電量と実績発電量との比較に基づいて評価情報を生成する評価支援装置である。【選択図】図１
2020013456.tif 000002
【特許請求の範囲】
【請求項１】
太陽光発電所の評価支援装置であって、
複数の太陽光発電所の設備に関する設備情報及び実績発電量を記憶し、
所定エリアの気象に関する気象関連情報を記憶し、
対象の太陽光発電所の所定期間における期待された発電量である期待発電量を、該太陽光発電所の位置を含む前記所定エリアの前記気象関連情報及び該太陽光発電所の前記設備情報に基づいて算出し、
前記対象の太陽光発電所における算出された前記期待発電量と前記実績発電量との比較に基づいて評価情報を生成する、
評価支援装置。
【請求項２】
前記気象関連情報は、前記対象の太陽光発電所の位置を含む前記所定エリアにおける単位面積当たりの単位時間の全天日射量を含み、
前記設備情報は、前記複数の太陽光発電所の各々における、太陽光パネルの直流定格出力と、パワーコンディショナーの交流定格出力と、太陽光パネルの設置方位及び設置傾斜角に関する補正係数と、該交流定格出力に対する該直流定格出力の比率に関する補正係数と、システム出力係数と、を含む、請求項１に記載の評価支援装置。
【請求項３】
前記気象関連情報は、前記対象の太陽光発電所の位置を含む前記所定エリアにおける単位面積当たりの単位時間の太陽光パネルの出力解析値を含み、
前記設備情報は、前記複数の太陽光発電所の各々における、太陽光パネルの直流定格出力と、パワーコンディショナーの交流定格出力と、太陽光パネルの設置方位及び設置傾斜角に関する補正係数と、該交流定格出力に対する該直流定格出力の比率に関する補正係数と、を含む、請求項１に記載の評価支援装置。
【請求項４】
前記評価支援装置は、前記評価情報として、前記対象の太陽光発電所における前記期待発電量に対する前記実績発電量の比率を時系列的に示す個別評価情報を生成する、請求項１から３のいずれか１項に記載の評価支援装置。
【請求項５】
前記評価支援装置は、前記評価情報として、前記対象の太陽光発電所における前記期待発電量に対する前記実績発電量の比率と、他の太陽光発電所における該比率との比較を示す相対評価情報を生成する、請求項１から４のいずれか１項に記載の評価支援装置。
【請求項６】
前記他の太陽光発電所は、前記対象の太陽光発電所の位置を含む前記所定エリアにおける全天日射量が近い前記所定エリア内における太陽光発電所である、請求項５に記載の評価支援装置。
【請求項７】
前記相対評価情報は、前記複数の太陽光発電所をランキング形式で示すものである、請求項５又は６に記載の評価支援装置。
【請求項８】
前記設備情報は、前記複数の太陽光発電所の各々における、売電単価、資産情報、及び運用開始日を含み、
前記評価支援装置は、
前記対象の太陽光発電所における前記実績発電量、前記売電単価、前記資産情報、及び前記運用開始日に基づいて、前記評価情報として、該対象の太陽光発電所における収益性を示す収益性評価情報を生成する、請求項１から７のいずれか１項に記載の評価支援装置。
【請求項９】
サーバ、及び該サーバにネットワークを介して接続され、ディスプレイを有する端末を備える太陽光発電所の評価支援システムであって、
前記サーバは、
複数の太陽光発電所の設備に関する設備情報及び実績発電量を記憶し、
所定エリアの気象に関する気象関連情報を記憶し、
対象の太陽光発電所の所定期間における期待された発電量である期待発電量を、該太陽光発電所の位置を含む前記所定エリアの前記気象関連情報及び該太陽光発電所の前記設備情報に基づいて算出し、
前記対象の太陽光発電所における算出された前記期待発電量と前記実績発電量との比較に基づいて評価情報を生成し、
前記端末は、前記評価情報を前記ディスプレイに表示する、
評価支援システム。
【請求項１０】
太陽光発電所の評価支援方法であって、
対象の太陽光発電所の所定期間における期待された発電量である期待発電量を、該太陽光発電所の位置を含む所定エリアの気象関連情報及び該太陽光発電所の設備に関する設備情報に基づいて算出するステップと、
前記対象の太陽光発電所における算出された前記期待発電量と該太陽光発電所の実績発電量との比較に基づいて評価情報を生成するステップと、
を有する評価支援方法。
【請求項１１】
請求項１０に記載の方法の各ステップをコンピュータに実行させるプログラム。
【発明の詳細な説明】
【技術分野】
【０００１】
本発明は、評価支援装置等に関するものであり、特に太陽光発電所の評価支援システムに関する。
【背景技術】
【０００２】
現在、国内には多くの太陽光発電所が設置されている。太陽光発電は一般住宅向けのほか、広大な敷地に数多くの太陽電池パネルを設置した大規模な太陽光発電所も各地で実用化されている。太陽光発電所の所有者等にとっては、発電装置が長期間に亘って安定して発電することが望ましい。このような状況において、太陽光発電所の所有者等から、自身の太陽光発電所を評価したいという要望がある。例えば特許文献１は、主として太陽電池パネルの性能を評価する太陽光発電システム評価装置を開示している。
【先行技術文献】
【特許文献】
【０００３】
【特許文献１】特開２０１８−０１９５６７号公報
【発明の概要】
【発明が解決しようとする課題】
【０００４】
太陽光発電所の発電量は、発電所ごとに、立地条件や自然条件、発電装置の設備条件などが異なる。従来、このような太陽光発電所に関して、太陽光発電所の発電能力や発電実績などをまとめたデータベースは無く、太陽光発電所各々の評価が難しいという問題があった。例えば、任意の太陽光発電所に関して、実際に発電した過去の発電量を定量的に比較又は分析することができないという問題があった。
【０００５】
本発明は、このような課題を解決するためになされたものであり、太陽光発電所を定量的に評価できる評価支援装置等を提供することを主目的とする。
【課題を解決するための手段】
【０００６】
上記の目的を達成するために、本発明の一態様としての太陽光発電所の評価支援装置は、複数の太陽光発電所の設備に関する設備情報及び実績発電量を記憶し、所定エリアの気象に関する気象関連情報を記憶し、対象の太陽光発電所の所定期間における期待された発電量である期待発電量を、該太陽光発電所の位置を含む上記所定エリアの上記気象関連情報及び該太陽光発電所の上記設備情報に基づいて算出し、上記対象の太陽光発電所における算出された上記期待発電量と上記実績発電量との比較に基づいて評価情報を生成する、ことを特徴とする。
【０００７】
また、本発明において好ましくは、上記気象関連情報は、上記対象の太陽光発電所の位置を含む上記所定エリアにおける単位面積当たりの単位時間の全天日射量を含み、上記設備情報は、上記複数の太陽光発電所の各々における、太陽光パネルの直流定格出力と、パワーコンディショナーの交流定格出力と、太陽光パネルの設置方位及び設置傾斜角に関する補正係数と、該交流定格出力に対する該直流定格出力の比率に関する補正係数と、システム出力係数と、を含む。
【０００８】
また、本発明において好ましくは、上記気象関連情報は、上記対象の太陽光発電所の位置を含む上記所定エリアにおける単位面積当たりの単位時間の太陽光パネルの出力解析値を含み、上記設備情報は、上記複数の太陽光発電所の各々における、太陽光パネルの直流定格出力と、パワーコンディショナーの交流定格出力と、太陽光パネルの設置方位及び設置傾斜角に関する補正係数と、該交流定格出力に対する該直流定格出力の比率に関する補正係数と、を含む。
【０００９】
また、本発明において好ましくは、上記評価支援装置は、上記評価情報として、上記対象の太陽光発電所における上記期待発電量に対する上記実績発電量の比率を時系列的に示す個別評価情報を生成する。
【００１０】
また、本発明において好ましくは、上記評価支援装置は、上記評価情報として、上記対象の太陽光発電所における上記期待発電量に対する上記実績発電量の比率と、他の太陽光発電所における該比率との比較を示す相対評価情報を生成する。
【００１１】
また、本発明において好ましくは、上記他の太陽光発電所は、上記対象の太陽光発電所の位置を含む上記所定エリアにおける全天日射量が近い上記所定エリア内における太陽光発電所である。
【００１２】
また、本発明において好ましくは、上記相対評価情報は、上記複数の太陽光発電所をランキング形式で示すものである。
【００１３】
また、本発明において好ましくは、上記設備情報は、上記複数の太陽光発電所の各々における、売電単価、資産情報、及び運用開始日を含み、上記評価支援装置は、上記対象の太陽光発電所における上記実績発電量、上記売電単価、上記資産情報、及び上記運用開始日に基づいて、上記評価情報として、該対象の太陽光発電所における収益性を示す収益性評価情報を生成する。
【００１４】
また、上記の目的を達成するために、本発明の一態様としての評価支援システムは、サーバ、及び該サーバにネットワークを介して接続され、ディスプレイを有する端末を備える太陽光発電所の評価支援システムであって、上記サーバは、複数の太陽光発電所の設備に関する設備情報及び実績発電量を記憶し、所定エリアの気象に関する気象関連情報を記憶し、対象の太陽光発電所の所定期間における期待された発電量である期待発電量を、該太陽光発電所の位置を含む上記所定エリアの上記気象関連情報及び該太陽光発電所の上記設備情報に基づいて算出し、上記対象の太陽光発電所における算出された上記期待発電量と上記実績発電量との比較に基づいて評価情報を生成し、上記端末は、上記評価情報を上記ディスプレイに表示する、ことを特徴とする。
【００１５】
また、上記の目的を達成するために、本発明の一態様としての太陽光発電所の評価支援方法は、対象の太陽光発電所の所定期間における期待された発電量である期待発電量を、該太陽光発電所の位置を含む所定エリアの気象関連情報及び該太陽光発電所の設備に関する設備情報に基づいて算出するステップと、上記対象の太陽光発電所における算出された上記期待発電量と該太陽光発電所の実績発電量との比較に基づいて評価情報を生成するステップと、を有することを特徴とする。
【００１６】
また、上記の目的を達成するために、本発明の一態様としてのプログラムは、上記に記載の方法の各ステップをコンピュータに実行させることを特徴とする。
【発明の効果】
【００１７】
本発明によれば、太陽光発電所を定量的に評価できる。
【図面の簡単な説明】
【００１８】
【図１】本発明の一実施形態による電子装置のハードウェア構成図である。
【図２】本発明の一実施形態による電子装置の機能ブロック図である。
【図３】日射量データベースの一部を示す一例である。
【図４】３つの異なる場所において算出された補正係数Ｃ２´の値の例示の１つである。
【図５】横軸がＤＣ／ＡＣ比、縦軸が補正係数Ｃ２の座標に、図４の算出結果をプロットし、近似曲線を求めた様子を示す図である。
【図６】個別評価情報を表示する評価情報表示用ウェブサイトの一例を示す図である。
【図７】相対評価情報を表示する評価情報表示用ウェブサイトの一例を示す図である。
【図８】相対評価情報を表示する評価情報表示用ウェブサイトの一例を示す図である。
【図９】相対評価情報を表示する評価情報表示用ウェブサイトの一例を示す図である。
【図１０】収益性評価情報を表示する評価情報表示用ウェブサイトの一例を示す図である。
【図１１】本発明の一実施形態による評価支援システム１の情報処理について示したフローチャートである。
【発明を実施するための形態】
【００１９】
以下、図面を参照して、本発明の実施形態による評価支援システム１について説明する。本明細書においては、説明の便宜上、必要以上に詳細な説明は省略する場合がある。例えば、既によく知られた事項の詳細説明や実質的に同一の構成についての重複説明を省略する場合がある。
【００２０】
一般的に、太陽光発電所は、太陽電池と、蓄電池と、太陽電池及び蓄電池が接続されたパワーコンディショナーとを備えている。太陽電池は、アレイ状に配置された複数の太陽電池パネルを備えている。パワーコンディショナーは、商用電力系統に連系させて使用するために、周波数や電圧を商用電力系統に適合するように交流電力に変換するものである。説明の便宜上、本実施形態の評価支援システム１は、日本国内に設置された、このような一般的な太陽光発電所を評価対象とする。ただし、これに限定されるものではない。
【００２１】
図１は、本発明の一実施形態による太陽光発電所の評価支援システム１の全体構成図である。図１に示すように、評価支援システム１は、評価支援装置１０と、気象関連情報サーバ２０と、ユーザ端末３０と、を含む。評価支援装置１０、気象関連情報サーバ２０、及びユーザ端末３０は、インターネットなどのネットワーク２に接続され、互いに通信可能である。ただし、それぞれが必要に応じて個別に接続される形態であってもかまわない。本実施形態では、評価支援システム１のサービス提供者又は管理者（以下「管理者等」という。）が評価支援装置１０を利用し、評価支援システム１のサービスを利用するエンドユーザがユーザ端末３０を使用する。
【００２２】
図２は本発明の一実施形態による評価支援装置１０のハードウェア構成を示すブロック図である。本実施形態による評価支援装置１０は、一般的なサーバやＰＣ等と同様の構成を含む。評価支援装置１０は、プロセッサ１１、入力装置１２、出力装置１３、記憶装置１４、及び通信装置１５を備える。これらの各構成装置はバス１６によって接続される。なお、バス１６と各構成装置との間には必要に応じてインタフェースが介在しているものとする。評価支援装置１０は、複数のコンピュータ（サーバ）により構成されてもよい。
【００２３】
プロセッサ１１は、評価支援装置１０全体の動作を制御する。例えばプロセッサ１１は、ＣＰＵである。プロセッサ１１は、記憶装置１４に格納されているプログラムやデータを読み込んで実行することにより、様々な処理を実行する。１つの例では、プロセッサ１１は、複数のプロセッサから構成される。他の例では、プロセッサ１１は、ＭＰＵ等の電子回路が用いられる。本実施形態においては、プロセッサ１１によりプログラムが実行されることにより、評価支援装置１０の様々な機能が実現される。
【００２４】
入力装置１２は、評価支援装置１０に対するユーザからの入力を受け付けるユーザインタフェースであり、例えば、タッチパネル、タッチパッド、キーボード、又はマウスである。出力装置１３は、ユーザに評価支援装置１０の出力情報を出力又は表示するものであり、例えば、画像を出力するディスプレイである。出力装置１３は、プリンタを含むこともできる。
【００２５】
記憶装置１４は、主記憶装置及び補助記憶装置を含む。主記憶装置は、例えばＲＡＭのような半導体メモリである。ＲＡＭは、情報の高速な読み書きが可能な揮発性の記憶媒体であり、プロセッサ１１が情報を処理する際の記憶領域及び作業領域として用いられる。主記憶装置は、読み出し専用の不揮発性記憶媒体であるＲＯＭを含んでいてもよい。この場合、ＲＯＭはファームウェア等のプログラムを格納する。補助記憶装置は、様々なプログラムや、各プログラムの実行に際してプロセッサ１１が使用するデータを格納する。補助記憶装置は、例えばハードディスク装置であるが、情報を格納できるものであればいかなる不揮発性ストレージ又は不揮発性メモリであってもよく、着脱可能なものであっても構わない。補助記憶装置は、例えば、オペレーティングシステム（ＯＳ）、ミドルウェア、アプリケーションプログラム、これらのプログラムの実行に伴って参照され得る各種データなどを格納する。
【００２６】
通信装置１５は、ネットワークを介してサーバなどの他のコンピュータとの間でデータの授受を行う。例えば通信装置１５は、移動体通信や無線ＬＡＮ等の無線通信を行い、ネットワーク２へ接続する。１つの例では、評価支援装置１０は、通信装置１５によってプログラムをサーバからダウンロードして、記憶装置１４に格納する。ただし、通信装置１５は既知の有線通信を行ってもよい。
【００２７】
評価支援装置１０は、太陽光発電所に関する評価情報を生成する。評価情報は、一の太陽光発電所の個別評価情報、一の太陽光発電所と他の太陽光発電所を比較する相対評価情報、及び一の太陽光発電所の収益性を示す収益性評価情報を含む。
【００２８】
本実施形態では、評価支援装置１０は、データベースサーバ機能を備える。記憶装置１４は各種データベース用のデータ（例えばテーブル）やプログラムを記憶し、プログラムが実行されることにより、各種データベースは実現される。評価支援装置１０は、別個の装置としてデータベースサーバを含む構成としてもよい。
【００２９】
本実施形態では、評価支援装置１０は、ウェブサーバ機能を備える。評価支援装置１０は、該評価支援装置１０又はユーザ端末３０からの要求に応じて、太陽光発電所に関する評価情報を表示する評価情報表示用ウェブサイトの生成や送信等の処理を行う。また評価支援装置１０は、アプリケーションサーバとしても機能することができ、データベースへの接続制御などを行うことができる。この場合、記憶装置１４は、ウェブページを提供するためのデータ、例えば、ＨＴＭＬ文書、画像、アプリケーションサーバ機能のためのプログラム、などを記憶することができる。評価情報表示用ウェブサイトは、ユーザ端末３０のディスプレイや評価支援装置１０の出力装置１３に表示される。
【００３０】
気象関連情報サーバ２０は、評価支援装置１０を含む任意の端末からのアクセスに対応して、気象関連情報を提供する。気象関連情報サーバ２０は、気象衛星画像などの気象衛星による観測データに基づいて、過去から現在までの気象関連情報を蓄積している。気象関連情報は、予め定められたエリアごとの気象に関するデータであり、単位面積当たりの単位時間の全天日射量を含む。例えば気象関連情報は、１ｋｍ四方のエリアごとの、１平方メートル当たりの月単位全天日射量（ｋＷ／ｍ2）を含む。評価支援装置１０は、所定エリアの気象関連情報を気象関連情報サーバ２０から取得して、記憶装置１４に記憶する。
【００３１】
好適な１つの例では、気象関連情報サーバ２０は、気象衛星ひまわりから取得する気象衛星画像の観測データを用いて算出された、１ｋｍ四方のエリアごとに、全天日射量（ｋＷ／ｍ2）を含む気象関連情報を提供する。１つの例では、太陽放射コンソーシアムなどの法人が気象関連情報サーバ２０を有し、評価支援装置１０は、気象関連情報サーバ２０から気象関連情報を取得する。
【００３２】
ユーザ端末３０は、ディスプレイを備えるコンピュータであり、パーソナルコンピュータ、タブレット端末、スマートフォン、携帯電話機などとすることができる。ユーザ端末３０は、ウェブブラウザが予めインストールされる。エンドユーザはウェブブラウザを用いてウェブページを閲覧したり、ウェブページ上の入力フォームを用いてデータをウェブサーバに送信したりすることができる。
【００３３】
評価支援装置１０は、複数の太陽光発電所の設備に関する設備情報及び実績発電量を記憶する発電所データベース（以下「発電所ＤＢ」という。）を備える。発電所ＤＢは、太陽光発電所の各々を、一意の設備ＩＤに関連付けて記憶する。設備情報は、発電所名、所有者、設置位置、太陽光パネルの設置方位及び設置傾斜角、太陽光パネルの直流定格出力、パワーコンディショナーの交流定格出力、補正係数、並びにシステム出力係数を含み、各項目が設備ＩＤに関連付けられる。
【００３４】
設置位置は、太陽光発電所が設置された位置であり、住所及び緯度経度を含む。太陽光パネルの直流定格出力は、対応する太陽光発電所における全モジュールパネルの直流定格出力（ＫＷｐ）であり、例えばＪＩＳＣで規定する分光分布AM1.5、放射照度1,000W/m2、モジュール温度25℃での定格容量の値である。パワーコンディショナーの交流定格出力は、対応する太陽光発電所における全パワーコンディショナーの交流定格出力（ｋＷ）である。補正係数は、太陽光パネルの設置方位及び設置傾斜角に関する補正係数Ｃ１と、交流定格出力に対する直流定格出力の比率に関する補正係数Ｃ２と、を含む。システム出力係数は、外的要因により発生する一定量の発電量の損失を考慮した太陽光発電システムの性能を示すものであり、一般的にＰＲ（Ｐｅｒｆｏｒｍａｎｃｅ  Ｒａｔｉｏ）と呼ばれるものである。
【００３５】
実績発電量は、所定期間ごとの売電電力量であり、設備ＩＤに関連付けられる。実績発電量は、例えば１月ごとの売電有効電力量である。
【００３６】
評価支援装置１０は、入力装置１２又はユーザ端末３０から受け付けたユーザからの設備情報及び実績発電量の入力を発電所ＤＢに記憶する。評価支援装置１０は、新たな発電所に関する設備情報の入力を受け付けると、新たな設備ＩＤを生成し、入力された項目に関連付ける。例えばエンドユーザは、ユーザ端末３０を用いて評価情報表示用ウェブサイトを介して、自身が所有する太陽光発電所を登録することができるとともに、該太陽光発電所の設備情報及び実績発電量を登録することができる。登録されたデータは設備ＩＤに関連付けられて発電所ＤＢに記憶される。
【００３７】
発電所ＤＢは、更にユーザＩＤを記憶し、設備ＩＤに関連付けられる。ユーザＩＤは、エンドユーザを識別するための一意の識別情報である。例えば評価情報表示用ウェブサイトは、ユーザ端末３０からアクセスするエンドユーザが評価情報を閲覧する場合、ユーザ端末に対してユーザＩＤを用いてログインしてアクセスすることを要求する。ユーザ端末３０は、一のユーザＩＤを用いてログインすると、該一のユーザＩＤにより生成された設備ＩＤに関連付けられた項目のみ入力及び出力することができるとともに、該設備ＩＤに関連付けられた評価情報のみ取得することができる。一方、エンドユーザは、ユーザ端末３０を介して、他のユーザＩＤにより生成された設備ＩＤに関連付けられた項目の入出力や該設備ＩＤに関連付けられた評価情報を閲覧することができない。このように評価支援システム１を構成することにより、評価支援システム１のエンドユーザの所有する太陽光発電所に関する情報を、第三者に取得されてしまうことを防止することが可能となる。なお、設備情報のうち補正係数及びシステム出力係数については、エンドユーザがユーザ端末３０を介して入力できないように評価支援システム１を構成することが好ましい。
【００３８】
本実施形態では、システム出力係数は、すべての太陽光発電所において同じ値を用いる。したがって、評価支援装置１０は、システム出力係数を設備ＩＤに関連付けて発電所ＤＢに記憶せずに、記憶装置１４内の他のメモリ領域に記憶することができる。
【００３９】
評価支援装置１０は、対象の太陽光発電所の所定期間における期待された発電量である期待発電量を算出する。評価支援装置１０は、所定期間における期待発電量を算出する際、対象の太陽光発電所の位置を含む所定エリア及び所定期間における単位面積当たりの単位時間の全天日射量を取得して記憶装置１４に記憶し、該全天日射量と、発電所ＤＢが記憶する該太陽光発電所の設備ＩＤに関連付けられた設備情報と、に基づいて算出する。なお、対象の太陽光発電所とは、説明の便宜上、発電所ＤＢが記憶する複数の太陽光発電所のうちの１つの太陽光発電所であって、期待発電量等の算出対象の太陽光発電所又は評価情報を生成する評価対象の太陽光発電所を示すものとする。例えば、エンドユーザがユーザ端末３０を用いて評価情報表示用ウェブサイトにアクセスして一の太陽光発電所を指定して該太陽光発電所の評価情報を閲覧するとき、該太陽光発電所が対象の太陽光発電所となる。
【００４０】
評価支援装置１０は、式（１）を用いて、対象の太陽光発電所の所定期間における月単位期待発電量ＰA（Ｋｗｈ／月）を算出する。
ＰA＝ＧＨＩ×Ｃ１×ＰＶ×Ｃ２×ＰＲ
（１）
ここで、ＧＨＩは、１ｍ2当たりの月単位全天日射量（ｋＷｈ／ｍ2・月）であり、ＰＶは、太陽光パネルの直流定格出力（ｋＷｐ）であり、Ｃ１は補正係数Ｃ１であり、Ｃ２は補正係数Ｃ２であり、ＰＲはシステム出力係数ＰＲである。
【００４１】
月単位期待発電量ＰAを算出するにあたって、評価支援装置１０は、対象の太陽光発電所の位置を含む所定エリアにおけるＧＨＩを気象関連情報サーバ２０から取得して、記憶装置１４に記憶する。また月単位期待発電量ＰAを算出するにあたって、評価支援装置１０は、発電所ＤＢに記憶された、対象の太陽光発電所の設備ＩＤに関連付けられたＰＶ、Ｃ１、Ｃ２、ＰＲを用いる。補正係数Ｃ１、Ｃ２については、以下に示すように、評価支援装置１０が発電所ＤＢに記憶されたデータ等に基づいて算出して発電所ＤＢに記憶する。ただし、同様の算出方法を用いるものであれば、管理者等が入力装置１２を介して補正係数を入力して発電所ＤＢに記憶してもよいし、他のシステムにより算出された補正係数を評価支援装置１０が取得して発電所ＤＢに記憶してもよい。
【００４２】
補正係数Ｃ１は、太陽光パネルの設置方位及び設置傾斜角を考慮して、全天日射量のうちの実際に太陽光パネルにおいて発電に寄与した日射量を算出するための補正係数である。評価支援装置１０は、対象の太陽光発電所の太陽光パネルの設置方位及び設置傾斜角を発電所ＤＢから取得し、評価支援システム１が備える日射量データベース（図示せず）を用いて、補正係数Ｃ１を算出する。例えば日射量データベースは、複数の地点の方位角別、傾斜角別、月間総日射量を、各々の地点ごとに記憶するとともに、各々の地点の緯度経度も記憶する。
【００４３】
具体的には、評価支援装置１０は、対象の太陽光発電所の位置に最も近い地点の、算出対象月における、全天日射量（水平面）の日射量Ａと、対象の太陽光発電所の太陽光パネルの設置方位及び設置方位角に対応する日射量Ｂとを日射量データベースから取得する。評価支援装置１０は、日射量Ａに対する日射量Ｂの比率から、補正係数Ｃ１を算出する。
【００４４】
好適な１つの例では、ＮＥＤＯなどの法人が日射量データベースを有し、評価支援装置１０は、日射量データベースから日射量Ａ及び日射量Ｂのデータを取得する。図３は、日射量データベースの一部を示す例示の１つであり、網走における方位角別、傾斜角別、月間総日射量を示す。例えば、対象の太陽光発電所が網走に設置され、該太陽光発電所の太陽光パネルが方位角０度かつ傾斜面３０度である場合において、該太陽光発電所の６月における補正係数Ｃ１を算出する場合を考える。この場合、補正係数Ｃ１はＣ１＝５．０２／５．２３により算出され、Ｃ１＝０．９６０となる。
【００４５】
補正係数Ｃ２は、パワーコンディショナーの交流定格出力に対する太陽光パネルの直流定格出力の比率（以下「ＤＣ／ＡＣ比」という。）から、太陽光パネルにおいて発電した電力のうち、定格容量により損失した電力を考慮した補正係数である。一般的に、太陽光パネルで発電される電力量は、日射量により左右されるため、太陽光パネルの直流定格出力以下である時間帯が多い。そのため、太陽光発電所においては、太陽光パネルの直流定格出力よりも小さい交流定格出力のパワーコンディショナーが設置されることが多い。一方で、このような場合、太陽光パネルで発電される電力量が、パワーコンディショナーの交流定格出力を超えた電力量となる場合があり、超えた分の電力量が損失となる場合がある。補正係数Ｃ２は、この損失を考慮した補正係数である。
【００４６】
本実施形態では、評価支援装置１０は、太陽光パネルで発電される電力量が損失せずにパワーコンディショナーから出力される比率を、予めシミュレーションを用いて算出する。シミュレーションは、日本国内の異なる位置において、様々なＤＣ／ＡＣ比で行われる。算出される比率は、補正係数Ｃ２に対応する値（補正係数Ｃ２´）である。評価支援装置１０は、一方の軸をＤＣ／ＡＣ比、他方の軸を補正係数Ｃ２とした座標に、算出された補正係数Ｃ２´を様々なＤＣ／ＡＣ比ごとにプロットし、該プロットから近似曲線を算出する。評価支援装置１０は、発電所ＤＢから取得した、対象の太陽光発電所のパワーコンディショナーの交流定格出力及び太陽光パネルの直流定格出力からＤＣ／ＡＣの値を算出し、該ＤＣ／ＡＣの値のときの近似曲線の値から補正係数Ｃ２を算出する。
【００４７】
図４は、太陽光発電所が設置されている３つの異なる場所、苫小牧、名古屋、及び下関において、様々なＤＣ／ＡＣ比で、予めシミュレーションを用いて算出された補正係数Ｃ２´の値の例示の１つである。図４においては、ＤＣ／ＡＣ比が、１００％、１２０％、１４０％、１６０％、１８０％、２００％、２５０％、３００％のときの補正係数Ｃ２´を算出していることが確認できる。
【００４８】
図５は、横軸がＤＣ／ＡＣ比、縦軸が補正係数Ｃ２の座標に、図４の算出結果をプロットし、近似曲線を求めた様子を示す図である。近似曲線は、図５に示すように５次関数の曲線とすることが好ましいが、他のｎ次関数としてもよいし、他の関数を用いてもよい。
【００４９】
システム出力係数ＰＲは、理想的な状態で動作した場合の発電量に対する実際の発電量の比率である。前述のとおり、本実施形態では、システム出力係数は、すべての太陽光発電所において同じ値を用いる。１つの例では、システム出力係数の値は０．８である。
【００５０】
評価支援装置１０は、算出した対象の太陽光発電所の月単位期待発電量ＰA（Ｋｗｈ／月）を発電所ＤＢに記憶する。１つの例では、評価支援装置１０は、発電所ＤＢに記憶する太陽光発電所の各々において、現在から過去１年間における月ごとの期待発電量を、設備ＩＤに関連付けて発電所ＤＢに記憶する。１つの例では、評価支援装置１０は、発電所ＤＢに記憶する太陽光発電所の各々において、発電所ＤＢが記憶する設備情報及び気象関連情報を用いて算出可能な期間の期待発電量を、設備ＩＤに関連付けて記憶する。
【００５１】
評価支援装置１０は、対象の太陽光発電所における算出された期待発電量と実績発電量との比較に基づいて評価情報を生成する。評価支援装置１０は、生成した評価情報を表示する評価情報表示用ウェブサイトを生成し、アクセスを受け付けたユーザ端末３０へ当該ウェブサイトを提供する。
【００５２】
１つの例では、ユーザは、ユーザ端末３０においてウェブブラウザを操作することにより、例えば評価情報表示用ウェブサイトのＵＲＬを入力することにより、指定されたＵＲＬを含むＨＴＴＰリクエスト等のリクエストを送信する。評価支援装置１０は、ユーザ端末３０から送信されるリクエストを受信すると、当該リクエストに応じて該当するウェブページを記憶装置１４から読み出し、読み出されたウェブページを含むＨＴＴＰレスポンス等のレスポンスを当該リクエストの送信元のユーザ端末３０へ送信する。ユーザ端末３０は、ウェブページを受信すると、ウェブブラウザにより評価情報表示用ウェブサイト画面をディスプレイに表示する。なお、例えば、受信したＨＴＭＬ文書中において必要な画像データ等を見つけるたびに、ユーザ端末３０は評価支援装置１０に対して当該画像データ等をリクエストし、評価支援装置１０は、当該リクエストに応じて該当する画像データ等を当該リクエストの送信元のユーザ端末３０へ送信することができる。
【００５３】
１つの例では、評価支援装置１０は、発電所ＤＢに記憶されたデータを用いて、対象の太陽光発電所における期待発電量に対する実績発電量の比率により表されるパフォーマンス値を時系列的に示す個別評価情報を生成する。例えばこの場合、評価情報表示用ウェブサイトは、ユーザ端末３０からの操作に応じて、ユーザにより指定された対象の太陽光発電所における、期待発電量、実績発電量、及びパフォーマンス値を時系列的に示す個別評価情報を表示する。
【００５４】
図６は、個別評価情報を表示する評価情報表示用ウェブサイトの一例を示す図である。この場合、評価情報表示用ウェブサイトは、対象の太陽光発電所での１年間における１月ごとの期待発電量、実績発電量、及びパフォーマンス値を表示する。評価情報表示用ウェブサイトは、パフォーマンス値のみを表示することもできる。評価情報表示用ウェブサイトは、ユーザ端末３０からの操作に応じて、表示開始時点、時間間隔、又は時間範囲を変更して表示することもできる。評価情報表示用ウェブサイトは、期待発電量の１２月移動平均など、期待発電量や実績発電量に基づいた他の指標を表示することもできる。
【００５５】
１つの例では、評価支援装置１０は、発電所ＤＢに記憶されたデータを用いて、対象の太陽光発電所における期待発電量に対する実績発電量の比率と、他の太陽光発電所における該比率との比較を示す相対評価情報を生成する。この場合の他の太陽光発電所は、発電所ＤＢに記憶されている複数の太陽光発電所のうちの対象の太陽光発電所以外のすべての太陽光発電所とすることもできるし、対象の太陽光発電所の全天日射量から所定範囲内の全天日射量のエリア内に位置する太陽光発電所のみとすることもできる。例えばこの場合、評価情報表示用ウェブサイトは、ユーザ端末３０からの操作に応じて、ユーザにより指定された期間の対象の太陽光発電所におけるパフォーマンス値と、他の太陽光発電所のパフォーマンス値との比較を示す相対評価情報を表示する。比較するパフォーマンス値は、特定の月の値とすることもできるし、特定の期間の平均値とすることもできる。
【００５６】
図７は、相対評価情報を表示する評価情報表示用ウェブサイトの一例を示す図である。この場合、評価情報表示用ウェブサイトは、発電所ＤＢに記憶されている複数の太陽光発電所をパフォーマンス値の大きさに従って並べたランキング形式で示す相対評価情報を表示する。例えばこの場合、評価情報表示用ウェブサイトは、他の太陽光発電所に関しては、既定のパフォーマンス値の範囲ごとの発電所の数を表示するとともに、複数の太陽光発電所の中の対象の太陽光発電所の位置付けを明示する。このように、評価情報表示用ウェブサイトが具体的な太陽光発電所を識別できないように相対評価情報を表示する構成とすることにより、評価支援システム１のエンドユーザが発電所ＤＢに登録した太陽光発電所に関する情報を、第三者に取得されてしまうことを防止することが可能となる。他の実施例においても、評価情報表示用ウェブサイトが相対評価情報を表示する場合、上記のように他の太陽光発電所を表示することが好ましい。
【００５７】
また例えば、評価情報表示用ウェブサイトは、ユーザ端末３０からの操作に応じて、ユーザにより指定された対象の太陽光発電所における１ｋＷｐあたりの実績発電量と、他の太陽光発電所の１ｋＷｐあたりの実績発電量との比較を示す相対評価情報を表示する。比較する実績発電量は、特定の月の値とすることもできるし、特定の期間の平均値とすることもできる。
【００５８】
図８は、相対評価情報を表示する評価情報表示用ウェブサイトの一例を示す図である。この場合、評価情報表示用ウェブサイトは、発電所ＤＢに記憶されている複数の太陽光発電所を１ｋＷｐあたりの実績発電量の大きさに従って並べたランキング形式で示す相対評価情報を表示する。
【００５９】
図９は、相対評価情報を表示する評価情報表示用ウェブサイトの一例を示す図である。この場合、評価情報表示用ウェブサイトは、上述したパフォーマンス値又は１ｋＷｐあたりの実績発電量を、地図上に示す相対評価情報を表示する。当該相対評価情報は、上述したパフォーマンス値又は１ｋＷｐあたりの実績発電量を、太陽光発電所の位置に対応する地図上の地区ごとに示す。地区の区画は、管理者等が任意に定めることができるが、個々の太陽光発電所が特定されない程度に大きいことが好ましい。パフォーマンス値又は１ｋＷｐあたりの実績発電量の大きさは、大きさの範囲に応じて色や形状等を変えて地図上に表示することができる。
【００６０】
１つの例では、発電所ＤＢが記憶する設備情報は、更に、売電単価（ＦＩＴ単価）、資産情報、及び運用開始日を含み、各項目が設備ＩＤに関連付けられる。資産情報は、固定資産や運転維持費などの情報を含む。この場合、評価支援装置１０は、発電所ＤＢに記憶されたデータを用いて、対象の太陽光発電所における実績発電量、売電単価、資産情報、及び運用開始日に基づいて当該対象の太陽光発電所における収益性を示すための収益性評価情報を生成する。例えば評価支援装置１０は、所定期間における売電利益を算出するとき、実績発電量及び売電単価を用いて売電金額を算出し、資産情報及び運用開始日から減価償却費を算出し、売電金額から減価償却費及び運転維持費をマイナスすることにより売電利益を算出する。例えば、収益性評価情報は、売電金額、運転維持費、減価償却費、及び売電利益を含む。
【００６１】
図１０は、収益性評価情報を表示する評価情報表示用ウェブサイトの一例を示す図である。この場合、評価情報表示用ウェブサイトは、ユーザ端末３０からの操作に応じて、ユーザにより指定された期間の対象の太陽光発電所における、売電金額（実績）、運転維持費、減価償却費、売電利益、売電金額（予測）を時系列的に示す収益性評価情報を表示する。
【００６２】
次に、本発明の一実施形態による評価支援システム１の情報処理について図１１に示したフローチャートを用いて説明する。図１１に示す情報処理は、プログラムを評価支援装置１０に実行させることで実現される。本情報処理においては、発電所ＤＢは、評価対象となりうる複数の太陽光発電所の設備情報及び実績発電量を記憶し、評価支援装置１０は、当該太陽光発電所の各々の位置を含む所定エリアの気象関連情報を記憶しているものとする。
【００６３】
ユーザにより指定された所定期間の対象の太陽光発電所における個別評価情報を生成する場合、ステップ１０１で、評価支援装置１０は、対象の太陽光発電所の所定期間における期待発電量を算出する。次にステップ１０２で、評価支援装置１０は、対象の太陽光発電所の個別評価情報を生成する。
【００６４】
ユーザにより指定された所定期間の対象の太陽光発電所における相対評価情報を生成する場合、ステップ１０１で、評価支援装置１０は、複数の太陽光発電所の所定期間における期待発電量を各々算出する。次にステップ１０２で、評価支援装置１０は、対象の太陽光発電所の相対評価情報を生成する。
【００６５】
次に、本発明の実施形態による評価支援システム１（評価支援装置１０）の作用効果について説明する。本実施形態では、評価支援装置１０は、複数の太陽光発電所の設備情報及び各月の実績発電量の入力を受け付け、入力を受け付けた当該データを記憶装置１４に記憶する。評価支援装置１０は、気象関連情報サーバ２０から複数の太陽光発電所の各々の位置を含む所定エリアの各月の気象関連情報を取得し、記憶装置１４に記憶する。評価支援装置１０は、記憶装置１４が記憶する設備情報及び気象関連情報を用いて、各月における複数の太陽光発電所の各々の期待発電量を算出し、算出した期待発電量と、対応する月の実績発電量との比較に基づいて評価情報を生成する。ユーザ端末３０は、評価支援装置１０が生成する評価情報を取得し、ディスプレイに表示する。
【００６６】
従来、対象の太陽光発電所の所定期間における見込まれる発電量は、該太陽光発電所の最寄りにある気象庁の観測所の日射量に基づいて算出した計画発電量を用いている。本実施形態では、評価支援装置１０が算出する期待発電量は、従来の計画発電量とは異なり、気象関連情報サーバ２０から取得した、予め定められたエリアごとの全天日射量等のデータを含む気象関連情報に基づいて算出する。したがって、期待発電量は、計画発電量の算出よりも、対象の太陽光発電所の位置の実際の日射量をより反映した日射量を用いて算出することができるため、本実施形態では、より正確な発電量を算出することが可能となる。
【００６７】
また本実施形態では、評価支援装置１０は、対象の太陽光発電所の個別評価情報を生成する。例えば評価支援装置１０が生成する評価情報表示用ウェブサイトは、ユーザ端末３０からの操作に応じて、各月のパフォーマンス値、期待発電量、実績発電量とともにパフォーマンス値の１２月移動平均値を示す個別評価情報を、ユーザ端末３０のディスプレイ等に表示することができる。このような構成とすることにより、本実施形態では、実際に発電された過去の発電量の相対的な分析を行うことが可能となり、また対象の太陽光発電所の性能劣化の兆候を捉えることが可能となる。
【００６８】
また本実施形態では、評価支援装置１０は、対象の太陽光発電所の相対評価情報を生成する。例えば評価支援装置１０が生成する評価情報表示用ウェブサイトは、ユーザ端末３０からの操作に応じて、ユーザにより指定された期間の対象の太陽光発電所におけるパフォーマンス値と、他の太陽光発電所のパフォーマンス値との比較を示す相対評価情報を、ユーザ端末３０のディスプレイ等に表示することができる。相対評価情報は、複数の太陽光発電所をランキング形式で示すものとすることもできるし、地図上にパフォーマンス値又は実績発電量の大きさとともに示すものとすることもできる。このような構成とすることにより、本実施形態では、より簡易に、他の太陽光発電所との比較を行うことが可能となる。なお、この場合の他の太陽光発電所は、対象の太陽光発電所の全天日射量から所定範囲内の全天日射量のエリア内に位置する太陽光発電所のみとすることもできる。このような構成とすることにより、対象の太陽光発電所と条件が似た他の太陽光発電所と比較を行うことが可能となる。
【００６９】
また本実施形態では、評価支援装置１０は、対象の太陽光発電所の収益性評価情報を生成する。例えば評価支援装置１０が生成する評価情報表示用ウェブサイトは、ユーザ端末３０からの操作に応じて、ユーザにより指定された期間の対象の太陽光発電所における、売電金額（実績）、運転維持費、減価償却費、売電利益、売電金額（予測）を時系列的に示す収益性評価情報を、ユーザ端末３０のディスプレイ等に表示することができる。このような構成とすることにより、本実施形態では、より簡易に、太陽光発電所の投資家向けレポートを作成することが可能となる。また複数の太陽光発電所において収益性評価情報を生成することにより、より収益性の高い太陽光発電所の傾向を把握することが可能となる。
【００７０】
このように、評価支援システム１がユーザに対して提示する評価情報を用いることにより、太陽光発電所への興味や関心を高め、既存の太陽光発電所の発電能力維持向上に繋がることが期待される。
【００７１】
上記の作用効果は、特に言及が無い限り、他の実施形態や他の実施例においても同様である。
【００７２】
本発明の他の実施形態では、上記で説明した本発明の実施形態の機能やフローチャートに示す情報処理を実現するプログラムや該プログラムを格納したコンピュータ読み取り可能な記憶媒体とすることもできる。また他の実施形態では、上記で説明した本発明の実施形態の機能やフローチャートに示す情報処理を実現する方法とすることもできる。また他の実施形態では、上記で説明した本発明の実施形態の機能やフローチャートに示す情報処理を実現するプログラムをコンピュータに供給することができるサーバとすることもできる。また他の実施形態では、上記で説明した本発明の実施形態の機能やフローチャートに示す情報処理を実現する仮想マシンとすることもできる。
【００７３】
以下に本発明の実施形態の変形例について説明する。以下で述べる変形例は、矛盾が生じない限りにおいて、適宜組み合わせて本発明の任意の実施形態に適用することができる。
【００７４】
１つの変形例では、気象関連情報は、全天日射量に加えて、又は全天日射量の代わりに、予め定められたエリアごとの、単位面積当たりの単位時間の太陽光パネルの出力解析値を含む。例えば気象関連情報サーバ２０は、１ｋｍ四方のエリアごとの、１平方メートル当たりの出力解析値（ｋＷ）を含む気象関連情報を提供する。評価支援装置１０は、対象の太陽光発電所の位置を含む所定エリア及び所定期間における単位面積当たりの単位時間の出力解析値を取得して記憶装置１４に記憶し、該出力解析値と、発電所ＤＢが記憶する該太陽光発電所の設備ＩＤに関連付けられた設備情報と、に基づいて所定期間における期待発電量を算出する。
【００７５】
この場合、評価支援装置１０は、式（１）の代わりに式（２）を用いて、対象の太陽光発電所の所定期間における月単位期待発電量ＰB（Ｋｗｈ／月）を算出する。
ＰB＝ＰＶＡ×Ｃ３×ＰＶ×Ｃ２
（２）
ここで、ＰＶＡは、１ｍ2当たりの月単位ＰＶ出力解析値（ｋＷｈ／ｍ2・月）であり、Ｃ３は補正係数Ｃ３であり、ＰＶとＣ２は式（１）に用いられているものと同じである。ＰＶＡはＰＶ出力解析値であるため、式（１）におけるシステム出力係数ＰＲを含むものである。月単位期待発電量ＰBを算出するにあたって、評価支援装置１０は、対象の太陽光発電所の位置を含む所定エリアにおけるＰＶＡを気象関連情報サーバ２０から取得して、記憶装置１４に記憶する。
【００７６】
補正係数Ｃ３は、太陽光パネルの設置方位及び設置傾斜角を考慮して、ＰＶ出力解析値のうちの実際に太陽光パネルにおける出力量を算出するための補正係数である。補正係数Ｃ１の場合、全天日射量が水平面かつ南向き０度をベースにした値であるのに対し、補正係数Ｃ３の場合、ＰＶ出力解析値が水平面かつ南向き１０度をベースにした値であるため、補正係数Ｃ３はＣ１と異なるものである。例えば、対象の太陽光発電所が網走に設置され、該太陽光発電所の太陽光パネルが方位角０度かつ傾斜面３０度である場合において、図３を用いて該太陽光発電所の６月における補正係数Ｃ３を算出する場合を考える。この場合、補正係数Ｃ３はＣ１＝５．０２／５．２５により算出され、Ｃ１＝０．９５６となる。このようにして、月単位期待発電量を求めることもできる。
【００７７】
１つの変形例では、発電所ＤＢは、複数のデータベースシステムから構成される。この場合、発電所ＤＢに記憶される各項目は、異なるデータベースシステムに記憶されてもよい。このように、評価支援装置１０が備えるデータベースは１つの例示であって、同等の機能を備えるものであれば、評価支援装置１０はデータベースを備えていなくてもよい。
【００７８】
１つの変形例では、評価支援装置１０は、気象関連情報サーバ２０から取得した気象関連情報を設備ＩＤに関連付けて発電所ＤＢに記憶する。発電所ＤＢは、設備情報の一部として気象関連情報を記憶することができる。
【００７９】
１つの変形例では、気象関連情報、実績発電量、期待発電量、及び日射量データベースは月単位に限定されるものではなく、日単位、週単位、四半期単位などとすることができる。例えば、気象関連情報は、月単位全天日射量の代わりに、日単位全天日射量、週単位全天日射量、又は四半期単位全天日射量とすることができる。例えば、日射量データベースは、日にちごと、週ごと、又は四半期ごとの総日射量を記憶することができる。
【００８０】
１つの変形例では、評価支援装置１０は、補正係数Ｃ２を算出する際に求めた近似曲線を地域ごとに求め、対象の太陽光発電所が属する地域の近似曲線を用いて、補正係数Ｃ２を算出する。
【００８１】
１つの変形例では、評価情報表示用ウェブサイトは、ユーザ端末３０からの操作に応じて、ユーザにより指定された対象の太陽光発電所における従来の計画発電量を更に時系列的に示す個別評価情報を表示する。
【００８２】
１つの変形例では、評価支援装置１０は、生成した評価情報を表示する評価情報表示用ウェブサイトを生成する代わりに、又はこれに追加して、アクセスを受け付けたユーザ端末３０へ評価情報を示すデータを送信する。
【００８３】
１つの変形例では、気象関連情報サーバ２０は将来の気象関連情報を記憶する。この場合、評価支援装置１０は、対象の太陽光発電所の将来の所定期間において期待される発電量を、該太陽光発電所の位置を含む所定エリアの気象関連情報及び該太陽光発電所の設備情報に基づいて算出することができる。
【００８４】
以上に説明してきた各実施例は、本発明を説明するための例示であり、本発明はこれらの実施例に限定されるものではない。本発明は、その要旨を逸脱しない限り、種々の形態で実施することができる。
【符号の説明】
【００８５】
１  ネットワーク
１０  評価支援装置
１１  プロセッサ
１２  入力装置
１３  出力装置
１４  記憶装置
１５  通信装置
１６  バス
２０  気象関連情報サーバ
３０  ユーザ端末
【図１】
2020013456.tif 000003
【図２】
2020013456.tif 000004
【図３】
2020013456.tif 000005
【図４】
2020013456.tif 000006
【図５】
2020013456.tif 000007
【図６】
2020013456.tif 000008
【図７】
2020013456.tif 000009
【図８】
2020013456.tif 000010
【図９】
2020013456.tif 000011
【図１０】
2020013456.tif 000012
【図１１】
2020013456.tif 000013